(57)【要約】【課題】効率的に基地局サーチを行い、不要な電池消費を防ぐことが可能な携帯電話機を提供する。【解決手段】ＣＰＵ２１は電源ＯＮになると、ＲＡＭ２３に蓄積されている過去に使用された各通信モードの履歴情報から一番頻度の高いモードを選択し、起動時の通信モードとして選択し、基地局サーチを行う。ＣＰＵ２１は基地局との通信が確立しなければ、ＲＡＭ２３に蓄積されている履歴情報から使用頻度の高い順に通信モードを選択し、基地局のサーチを行う。ＣＰＵ２１は選択した通信モードにおいて基地局との通信が確立すると、現在の通信モードを使用履歴としてＲＡＭ２３に記録する。【選択図】      図１
2004260503.tif 000002
【特許請求の範囲】
【請求項１】
複数の通信モード各々を切替えて使用可能とする機能が搭載された携帯電話機であって、過去に使用した前記通信モードの使用履歴を格納する格納手段と、少なくとも前記通信モードの使用履歴を基に現在使用する通信モードを選択する制御手段とを有することを特徴とする携帯電話機。
【請求項２】
前記制御手段は、自端末の立上げ時及び圏内から圏外への移行時のいずれかの場合に前記現在使用する通信モードを選択することを特徴とする請求項１記載の携帯電話機。
【請求項３】
前記複数の通信モード各々に対応する無線部及びベースバンド部を含み、
前記制御手段は、少なくとも前記通信モードに応じて前記無線部及び前記ベースバンド部を制御することを特徴とする請求項１または請求項２記載の携帯電話機。
【請求項４】
前記制御手段は、少なくとも前記通信モードに基に内蔵アプリケーションの動作及び設定のいずれかを切替える手段を含むことを特徴とする請求項１から請求項３のいずれか記載の携帯電話機。
【請求項５】
複数の通信モード各々を切替えて使用可能とする機能が搭載された携帯電話機の通信モード選択方法であって、前記携帯電話機側に、前記通信モードの使用履歴を格納手段に格納するステップと、少なくとも前記通信モードの使用履歴を基に現在使用する通信モードを選択するステップとを有することを特徴とする通信モード選択方法。
【請求項６】
前記通信モードを選択するステップは、前記携帯電話機の立上げ時及び圏内から圏外への移行時のいずれかの場合に前記現在使用する通信モードを選択することを特徴とする請求項５記載の通信モード選択方法。
【請求項７】
前記通信モードを選択するステップは、少なくとも前記通信モードに応じて、前記複数の通信モード各々に対応する無線部及びベースバンド部を制御することを特徴とする請求項５または請求項６記載の通信モード選択方法。
【請求項８】
前記通信モードを選択するステップは、少なくとも前記通信モードに基に内蔵アプリケーションの動作及び設定のいずれかを切替えることを特徴とする請求項５から請求項７のいずれか記載の通信モード選択方法。
【請求項９】
複数の通信モード各々を切替えて使用可能とする機能が搭載された携帯電話機の通信モード選択方法のプログラムであって、コンピュータに、前記通信モードの使用履歴を格納手段に格納する処理と、少なくとも前記通信モードの使用履歴を基に現在使用する通信モードを選択する処理とを実行させるためのプログラム。
【発明の詳細な説明】
【０００１】
【発明の属する技術分野】
本発明は携帯電話機及びそれに用いる通信モード選択方法並びにそのプログラムに関し、特に複数の通信モードを持つマルチモード機能の携帯電話機に関する。
【０００２】
【従来の技術】
従来、携帯電話機としては、ＰＤＣ（Ｐｅｒｓｏｎａｌ  Ｄｉｇｉｔａｌ  Ｃｅｌｌｕｌａｒ）やＰＨＳ（Ｐｅｒｓｏｎａｌ  Ｈａｎｄｙｐｈｏｎｅ  Ｓｙｓｔｅｍ）、あるいはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）等の複数の通信方式や、８００Ｍや１．５Ｇ等の異なる通信周波数をそれぞれ切替えて使用可能とするマルチモード機能を搭載する携帯端末がある（例えば、特許文献１参照）。
【０００３】
このような携帯端末では、例えば音声通信を行う際にＰＤＣやＷ−ＣＤＭＡの通信方式に切替えて使用したり、電子メールやインタネット閲覧を行う際にＰＨＳの通信方式に切替えて使用したりしている。
【０００４】
【特許文献１】
特開２００２−２９１０１６号公報（第１０〜１２頁、図１）
【０００５】
【発明が解決しようとする課題】
上述した従来の携帯電話機では、複数の通信モードのうち、自分が住んでいる地域で使用可能な通信モードを優先的に使用したり、ユーザが携帯端末を操作することによって通信モードを切替えるといった使われ方が行われている。
【０００６】
このため、ユーザが今まで使用してきた通信モードの圏外に移動した場合や、携帯電話機の電源をＯＦＦからＯＮにした場合、使用することのできない通信モードが選択されてしまい、不要な電池消費や、基地局サーチに時間がかかってしまうとという問題がある。
【０００７】
そこで、本発明の目的は上記の問題点を解消し、効率的に基地局サーチを行うことができ、不要な電池消費を防ぐことができる携帯電話機及びそれに用いる通信モード選択方法並びにそのプログラムを提供することにある。
【０００８】
【課題を解決するための手段】
本発明による携帯電話機は、複数の通信モード各々を切替えて使用可能とする機能が搭載された携帯電話機であって、過去に使用した前記通信モードの使用履歴を格納する格納手段と、少なくとも前記通信モードの使用履歴を基に現在使用する通信モードを選択する制御手段とを備えている。
【０００９】
本発明による通信モード選択方法は、複数の通信モード各々を切替えて使用可能とする機能が搭載された携帯電話機の通信モード選択方法であって、前記携帯電話機側に、前記通信モードの使用履歴を格納手段に格納するステップと、少なくとも前記通信モードの使用履歴を基に現在使用する通信モードを選択するステップとを備えている。
【００１０】
本発明による通信モード選択方法のプログラムは、複数の通信モード各々を切替えて使用可能とする機能が搭載された携帯電話機の通信モード選択方法のプログラムであって、コンピュータに、前記通信モードの使用履歴を格納手段に格納する処理と、少なくとも前記通信モードの使用履歴を基に現在使用する通信モードを選択する処理とを実行させている。
【００１１】
すなわち、本発明の携帯電話機は、ＰＤＣ（Ｐｅｒｓｏｎａｌ  Ｄｉｇｉｔａｌ  Ｃｅｌｌｕｌａｒ）やＰＨＳ（Ｐｅｒｓｏｎａｌ  Ｈａｎｄｙｐｈｏｎｅ  Ｓｙｓｔｅｍ）、あるいはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、またはＧＳＭ（ＧｌｏｂａｌＳｙｓｔｅｍ  ｆｏｒ  Ｍｏｂｉｌｅ  Ｃｏｍｍｕｎｉｃａｔｉｏｎｓ）等の複数の通信方式や、８００Ｍや１．５Ｇ等の異なる通信周波数をそれぞれ切替えて使用可能な携帯端末であり、自端末内部に過去の通信モード使用履歴を持ち、使用頻度の高い通信モードを、次回、使用する通信モードとして第一優先で選択する機能を持つことを特徴としている。
【００１２】
上記のように、本発明の携帯電話機では、通信モードの過去使用履歴を参照することによって、使用頻度の高い通信モードから優先的に使うことで、効率的に基地局サーチを行うことが可能となり、不要な電池消費を防ぐことが可能となる。
【００１３】
このため、本発明の携帯電話機では、制御部内のＲＡＭ（Ｒａｎｄｏｍ  Ａｃｃｅｓｓ  Ｍｅｍｏｒｙ）に過去使用した通信モードの履歴を持たせ、制御部内のＣＰＵ（中央処理装置）がその履歴情報を基に使用頻度の高い通信モードから優先的に使うことによって、効率的に基地局サーチを行うことが可能となり、不要な電池消費を防ぐことが可能となる。
【００１４】
【発明の実施の形態】
次に、本発明の実施例について図面を参照して説明する。図１は本発明の一実施例による携帯電話機の構成を示すブロック図である。図１において、本発明の一実施例による携帯電話機はアンテナ１１と、複数の無線部の入出力信号を切替える切替えスイッチ（ＳＷ）１２と、異なる周波数の無線部１３，１４と、無線部１３，１４に対応するベースバンド部１５，１６と、ベースバンド部１５，１６を制御するための制御部２と、スピーカ１７と、マイク１８と、ＬＣＤ（Ｌｉｑｕｉｄ  Ｃｒｙｓｔａｌ  Ｄｉｓｐｌａｙ）１９と、キー部２０とから構成されている。
【００１５】
制御部２はＣＰＵ（中央処理装置）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３とから構成されている。ＲＯＭ２２は切替えスイッチ１２、ベースバンド部１５，１６、スピーカ１７、マイク１８、ＬＣＤ１９、キー部２０をそれぞれ制御するためのプログラム（コンピュータで実行可能なプログラム）等が格納されており、ＲＡＭ２３はＣＰＵ２１の作業用のメモリとして用いられ、フラッシュＲＯＭ等の不揮発性メモリが使われることもある。
【００１６】
図２は図１のＲＡＭ２３における使用履歴の格納例を示す図であり、図３は図１のＲＡＭ２３における使用履歴の他の格納例を示す図である。図２において、ＲＡＭ２３の使用履歴格納領域２３ａにはＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）等の通信方式が順次格納されている。尚、使用履歴格納領域２３ａにはＰＤＣ、ＰＨＳ、Ｗ−ＣＤＭＡの格納例を示している。また、ＲＡＭ２３への使用履歴としては、８００Ｍや１．５Ｇ等の異なる通信周波数を履歴として格納するようにしてもよい。
【００１７】
図３において、ＲＡＭ２３の使用履歴格納領域２３ｂには本実施例による携帯電話機で使用可能な通信モードＰＤＣ、Ｗ−ＣＤＭＡ、ＰＨＳ毎に使用回数が格納されている。この場合、使用履歴格納領域２３ｂの格納内容はＲＡＭ２３の使用履歴格納領域２３ａに格納された履歴から算出したもの格納しても、またＲＡＭ２３への使用履歴の記録毎に対応する通信モードの使用回数をインクリメントしてもよい。さらに、使用回数の代わりに使用頻度（％）を履歴情報として格納してもよい。
【００１８】
図４は本発明の一実施例による携帯電話機の動作を示すフローチャートである。これら図１〜図４を参照して本発明の一実施例による携帯電話機の動作について説明する。
【００１９】
本実施例による携帯電話機が電源ＯＦＦから電源ＯＮに移行すると（図４ステップＳ１）、ＣＰＵ２１はＲＡＭ２３に蓄積されている過去に使用された各通信モードの履歴情報から一番頻度の高いモードを選択し、起動時の通信モードとして選択する（図４ステップＳ２）。
【００２０】
ＣＰＵ２１はこの選択した通信モードにおいて基地局（図示せず）のサーチを行い（図４ステップＳ３）、基地局との通信が確立しなければ（基地局が見つからなければ）（図４ステップＳ４）、ＲＡＭ２３に蓄積されている履歴情報から使用頻度（または使用回数）の高かった順に通信モードを選択し（図４ステップＳ５）、基地局のサーチを行う（図４ステップＳ６）。
【００２１】
ＣＰＵ２１はこの選択した通信モードにおいて基地局との通信が確立すると（図４ステップＳ４）、現在の通信モードを使用履歴としてＲＡＭ２３に記録する（図４ステップＳ７）。
【００２２】
一方、本実施例による携帯電話機が圏内から圏外に移行した場合（図４ステップＳ８）、ＣＰＵ２１はＲＡＭ２３の履歴情報から今まで使用していた通信モードの次に使用履歴の多かった順に通信モードを選択し（図４ステップＳ９）、基地局のサーチを行う（図４ステップＳ１０）。
【００２３】
ＣＰＵ２１はこの選択した通信モードにおいて基地局との通信が確立すると（図４ステップＳ１１）、現在の通信モードを使用履歴としてＲＡＭ２３に記録する（図４ステップＳ１２）。
【００２４】
本実施例による携帯電話機では電源ＯＦＦとなるまで（図４ステップＳ１３）、上述したステップＳ８〜Ｓ１２の処理を繰り返し行う。また、本実施例による携帯電話機では電源ＯＦＦとなってから、再度、電源ＯＮになると、上記のステップＳ１からの処理が行われる。
【００２５】
このように、本実施例では、制御部２内のＲＡＭ２３に過去使用した通信モードの履歴を持たせ、制御部２内のＣＰＵ２１がその履歴情報を基に使用頻度の高い通信モードから優先的に使うことによって、効率的に基地局サーチを行うことができ、不要な電池消費を防ぐことができる。
【００２６】
尚、本発明では、上述したＲＡＭ２３の通信モードの使用履歴情報を基に、携帯電話機に内蔵するアプリケーションの動作あるいは設定を切替えて使用することも可能であり、これに限定されない。
【００２７】
【発明の効果】
以上説明したように本発明は、上記のような構成及び動作とすることで、効率的に基地局サーチを行うことができ、不要な電池消費を防ぐことができるという効果が得られる。
【図面の簡単な説明】
【図１】本発明の一実施例による携帯電話機の構成を示すブロック図である。
【図２】図１のＲＡＭにおける使用履歴の格納例を示す図である。
【図３】図１のＲＡＭにおける使用履歴の他の格納例を示す図である。
【図４】本発明の一実施例による携帯電話機の動作を示すフローチャートである。
【符号の説明】
２  制御部
１１  アンテナ
１２  切替えスイッチ（ＳＷ）
１３，１４  無線部
１５，１６  ベースバンド部
１７  スピーカ
１８  マイク
１９  ＬＣＤ
２０  キー部
２１  ＣＰＵ
２２  ＲＯＭ
２３  ＲＡＭ
２３ａ，２３ｂ  使用履歴格納領域
【図１】
2004260503.tif 000003
【図２】
2004260503.tif 000004
【図３】
2004260503.tif 000005
【図４】
2004260503.tif 000006